(57)【要約】【課題】ブックタイプの収納用ケースの耐衝撃性及び防塵性を向上させる。【解決手段】  収納ケース１は、カートリッジ３０１を収納するカートリッジ収納部２を備えたケース本体部３と、ケース本体部３に背面部４を介して開閉回動可能に薄肉のヒンジ部２１，２２により連結された蓋部５と、を備えている。ケース本体部３と蓋部５の主面部３ａ，５ａに、前記カートリッジ収納部２内にカートリッジ３０１を収納して蓋部５を閉じた状態においてカートリッジ３０１の表裏面の周縁部を挟着保持するカートリッジ保持用台座部１１，２７を設け、これらケース本体部３と蓋部５の主面部３ａ，５ａのカートリッジ保持用台座部１１，２７以外の部分をカートリッジ３０１の表裏面と被接触状態に保持した。また、蓋部５を閉じた状態において、蓋部５の側壁５ｂ〜５ｄの先端部がケース本体部３の溝部１２に嵌合するようにした。【選択図】図１
2004338800.tif 000002
【特許請求の範囲】
【請求項１】
情報記録媒体カートリッジを収納するカートリッジ収納部を備えたケース本体部と、該ケース本体部に背面部を介して開閉回動可能に薄肉のヒンジ部により連結された蓋部と、を備え、
前記ケース本体部と蓋部は、前記カートリッジ収納部内に情報記録媒体カートリッジを収納して蓋部を閉じた状態において収納した情報記録媒体カートリッジの表裏面の周縁部を挟着保持するカートリッジ保持用台座部を主面部に備え、該主面部は前記カートリッジ保持用台座部以外の部分において収納した情報記録媒体カートリッジの表裏面と非接触状態に保たれていることを特徴とするカートリッジ用収納ケース。
【請求項２】
請求項１において、
前記ケース本体部と蓋部は、前記カートリッジ収納部内に情報記録媒体カートリッジを収納して蓋部を閉じた状態において内外周に互いに重なり合う側壁とを備え、
前記ケース本体部と蓋部のうちの少なくとも一方の主面部は、蓋部を閉じた状態において他方の側壁の先端部が嵌合する溝部を備えていることを特徴とするカートリッジ用収納ケース。
【請求項３】
請求項１において、
前記ケース本体部は、前記側壁の内側に情報記録媒体カートリッジの外形と略相似形のカートリッジ収納部を構成する内壁を備えていることを特徴とするカートリッジ用収納ケース。
【請求項４】
請求項１において、
前記ケース本体部は、前記カートリッジ収納部内に収納した情報記録媒体カートリッジの上面に係合する庇状の固定爪片を備えていることを特徴とするカートリッジ用収納ケース。
【請求項５】
請求項１において、
前記ケース本体部は、前記カートリッジ収納部内に収納した情報記録媒体カートリッジの上面に係合する庇状の弾性係合部を備えていることを特徴とするカートリッジ用収納ケース。
【請求項６】
請求項１において、
前記ケース本体部は、前記カートリッジ収納部内に収納した情報記録媒体カートリッジの端面を押圧する弾性押圧部を備えていることを特徴とするカートリッジ用収納ケース。
【請求項７】
請求項１において、
前記ケース本体部は、前記カートリッジ収納部内に収納した情報記録媒体カートリッジの上面に係合する庇状の弾性係合部と、前記カートリッジ収納部内に収納した情報記録媒体カートリッジの外周面を押圧する弾性押圧部と、を備えていて、
前記弾性係合部と弾性押圧部は、前記内壁の同一位置に形成されていることを特徴とするカートリッジ用収納ケース。
【請求項８】
請求項１において、
前記蓋部は、閉蓋時において前記カートリッジ収納部内に収納した情報記録媒体カートリッジの端面を押圧する傾斜状のカートリッジ押圧部を備えていることを特徴とするカートリッジ用収納ケース。
【請求項９】
請求項１において、
前記ケース本体部及び／又は蓋部は、閉蓋時において前記背面部に当接して該背面部を支持する背面部支持リブを側壁の外面に備えていることを特徴とするカートリッジ用収納ケース。
【請求項１０】
請求項１において、
前記蓋部は、閉蓋時において前記背面部に設けた係合凹部に係合する係合凸部を備えていることを特徴とするカートリッジ用収納ケース。
【請求項１１】
請求項３において、
前記ケース本体部と蓋部は、閉蓋状態において互いに係合して閉蓋状態を維持する蓋ロック用の係合部と被係合部とを備え、
前記係合部は、前記ケース本体部の側壁のカートリッジ収納部の領域外に設けられていることを特徴とするカートリッジ用収納ケース。
【請求項１２】
請求項１において、
前記ケース本体部は、カートリッジ収納部に収納した情報記録媒体カートリッジの外周端面と側壁の間に指先を挿入可能なカートリッジ取出操作用の凹部を備えていることを特徴とするカートリッジ用収納ケース。
【請求項１３】
請求項１において、
前記蓋部は、閉蓋状態において指先を挿入可能なケース引出操作用の凹部を側壁に備えていることを特徴とするカートリッジ用収納ケース。
【請求項１４】
請求項１において、
前記ケース本体部は、前記カートリッジ収納部内に前記カートリッジ保持用台座部よりも上方に突出していて、情報記録媒体カートリッジの裏面側に設けた凹部に嵌合可能な凸部を備えていることを特徴とするカートリッジ用収納ケース。
【請求項１５】
請求項１４において、
前記ケース本体部は、前記カートリッジ収納部内に収納した情報記録媒体カートリッジの上面に係合する庇状の弾性係合部を備え、前記凸部は、前記カートリッジ保持用台座部の前記庇状の弾性係合部側の端部に設けられていることを特徴とするカートリッジ用収納ケース。
【発明の詳細な説明】
【技術分野】
【０００１】
本発明は、情報記録媒体を収納するケースに関するものであり、特に収納した情報記録媒体を衝撃や塵埃等から確実に保護することのできる耐衝撃性と防塵性に優れた情報記録媒体用収納ケースに関するものある。
【背景技術】
【０００２】
情報記録媒体カートリッジを収納するケースとして、主にスリーブタイプのものとブックタイプのものが知られている。図１３に示すように、スリーブタイプのケース１０１は、スリーブ状、即ち鞘状に形成されていて、一端側の開口部１０２から情報記録媒体カートリッジ（図示省略）を出し入れするようになっている。（例えば、特許文献１参照）。
【０００３】
また、図１４に示すように、ブックタイプのケース２０１は、情報記録媒体カートリッジ２１１を収納するケース本体部２０２と、該ケース本体部２０２の上端の開口部２０２ａを開閉する蓋部２０３と、前記ケース本体部２０２に蓋部２０３を回動開閉可能に連結しているヒンジ部２０４と、を備えている。そして、前記ケース本体部２０２内に情報記録媒体カートリッジとしてのテープカートリッジ２１１を収納した後に開口部２０２ａを蓋部２０３で塞ぐようになっている。２０５は、テープカートリッジ２１１のテープリールに設けられた軸孔２１２に挿入される凸部である。（例えば、特許文献２参照）。
【特許文献１】特開２０００−３５５３８６号公報
【特許文献２】特開平０８−０７２９６１号公報
【発明の開示】
【発明が解決しようとする課題】
【０００４】
前記スリーブタイプのケース１０１は、主に情報記録媒体カートリッジとしてＭＤカートリッジ（ミニディスクカートリッジ）等の民生用（コンシューマー）のディスクカートリッジを収納するのに使用され、収納されたディスクカートリッジが過酷な条件下使用されるといった所謂プロユースを意識したものではないことより、ケースの防塵性或いは強靭性といった点に関しては十分な配慮がなされているとはいえない。
【０００５】
一方、前記ブックタイプのケース２０１は、専ら情報記録媒体カートリッジとしてテープカートリッジを収納するのに使用される。前記ブックタイプのケース２０１は、ケース本体部２０２の開口部２０２ａを蓋部２０３で塞ぐようになっているので、開口部が開放された侭の状態のスリーブタイプのケース１０１よりも防塵性が優れている。
【０００６】
しかし、前記ブックタイプのケース２０１は、カートリッジの厚みが比較的厚いテープカートリッジを収納することを目的に開発されたものであって、カートリッジに収納されているテープ媒体もリールに巻き回されていることより、それほど大きな外圧に耐えることも要求されない。
【０００７】
従って、前記ブックタイプのケース２０１を収納しようとするディスクカートリッジに見合う大きさに形成することによりディスクカートリッジの収納に使用することも可能であるが、前記ディスクカートリッジが、最近のブロードバンド時代に対応し、音楽等の音声信号に加えて画像情報といった大量のディジタル信号を高密度に記録することのできるものである場合には、記録媒体の信頼性を確保することが要求される。しかし、従来のブックタイプのケース２０１は、必ずしも外部からの衝撃に対する強度や防塵性は十分ではなく、高密度に記録のディスクカートリッジを収納するためには、より一層、衝撃に対する強度や防塵性を向上させなければならないという課題があった。
【０００８】
本発明の目的は、落下等により強い衝撃が掛かった場合でも、収納されているカートリッジが破損したりするのを従来のケースよりも、より確実に防止できる耐衝撃性に優れた情報記録媒体用収納ケースを提供することにある。
【０００９】
本発明の他の目的は、塵埃等の侵入を従来のケースよりも、より確実に防止できる防塵性に優れた情報記録媒体用収納ケースを提供することにある。
【００１０】
本発明の更に他の目的は、ディスクカートリッジの表裏を間違えた状態で収納するを防止することのできる情報記録媒体用収納ケースを提供することにある。
【課題を解決するための手段】
【００１１】
請求項１の発明は、情報記録媒体カートリッジを収納するカートリッジ収納部を備えたケース本体部と、該ケース本体部に背面部を介して開閉回動可能に薄肉のヒンジ部により連結された蓋部と、を備えたカートリッジ用収納ケースにおいて、
前記ケース本体部と蓋部の主面部に、前記カートリッジ収納部内に情報記録媒体カートリッジを収納して蓋部を閉じた状態において収納した情報記録媒体カートリッジの表裏面の周縁部を挟着保持するカートリッジ保持用台座部を設け、これらカートリッジ保持用台座部以外の部分においてケース本体部と蓋部の主面部が収納した情報記録媒体カートリッジの表裏面と非接触状態に保つようにした。
【００１２】
請求項２の発明は、請求項１カートリッジ用収納ケースにおいて、
前記ケース本体部と蓋部に、前記カートリッジ収納部内に情報記録媒体カートリッジを収納して蓋部を閉じた状態において内外周に互いに重なり合う側壁とを設け、前記ケース本体部と蓋部のうちの少なくとも一方の主面部は、蓋部を閉じた状態において他方の側壁の先端部が嵌合する溝部を設けた。
【００１３】
請求項３の発明は、請求項１カートリッジ用収納ケースにおいて、
前記ケース本体部の側壁の内側に、情報記録媒体カートリッジの外形と略相似形のカートリッジ収納部を構成する内壁を設けた。
【００１４】
請求項４の発明は、請求項１カートリッジ用収納ケースにおいて、
前記ケース本体部に、前記カートリッジ収納部内に収納した情報記録媒体カートリッジの上面に係合する庇状の固定爪片を設けた。
【００１５】
請求項５の発明は、請求項１カートリッジ用収納ケースにおいて、
前記ケース本体部に、前記カートリッジ収納部内に収納した情報記録媒体カートリッジの上面に係合する庇状の弾性係合部を設けた。
【００１６】
請求項６の発明は、請求項１カートリッジ用収納ケースにおいて、
前記ケース本体部に、前記カートリッジ収納部内に収納した情報記録媒体カートリッジの端面を押圧する弾性押圧部を設けた。
【００１７】
請求項７の発明は、請求項１カートリッジ用収納ケースにおいて、
前記ケース本体部に、前記カートリッジ収納部内に収納した情報記録媒体カートリッジの上面に係合する庇状の弾性係合部と、前記カートリッジ収納部内に収納した情報記録媒体カートリッジの外周面を押圧する弾性押圧部と、を設け、前記弾性係合部と弾性押圧部を、前記内壁の同一位置に形成した。
【００１８】
請求項８の発明は、請求項１カートリッジ用収納ケースにおいて、
前記蓋部に、閉蓋時において前記カートリッジ収納部内に収納した情報記録媒体カートリッジの端面を押圧する傾斜状のカートリッジ押圧部を設けた。
【００１９】
請求項９の発明は、請求項１カートリッジ用収納ケースにおいて、
前記ケース本体部及び／又は蓋部の側壁の外面に、閉蓋時において前記背面部に当接して該背面部を支持する背面部支持リブを設けた。
【００２０】
請求項１０の発明は、請求項１カートリッジ用収納ケースにおいて、
前記蓋部に、閉蓋時において前記背面部に設けた係合凹部に係合する係合凸部を設けた。
【００２１】
請求項１１の発明は、請求項３のカートリッジ用収納ケースにおいて、
前記ケース本体部と蓋部に、閉蓋状態において互いに係合して閉蓋状態を維持する蓋ロック用の係合部と被係合部とを設け、前記係合部を、前記ケース本体部の側壁のカートリッジ収納部の領域外に設けた。
【００２２】
請求項１２の発明は、請求項１のカートリッジ用収納ケースにおいて、
前記ケース本体部に、カートリッジ収納部に収納した情報記録媒体カートリッジの外周端面と側壁の間に指先を挿入可能なカートリッジ取出操作用の凹部を設けた。
【００２３】
請求項１３の発明は、請求項１のカートリッジ用収納ケースにおいて、
前記蓋部の側壁に、閉蓋状態において指先を挿入可能なケース引出操作用の凹部を設けた。
【００２４】
請求項１４の発明は、請求項１のカートリッジ用収納ケースにおいて、
前記ケース本体部に、前記カートリッジ収納部内に前記カートリッジ保持用台座部よりも上方に突出していて、情報記録媒体カートリッジの裏面側に設けた凹部に嵌合可能な凸部を設けた。
【００２５】
請求項１５の発明は、請求項１４のカートリッジ用収納ケースにおいて、
前記ケース本体部に、前記カートリッジ収納部内に収納した情報記録媒体カートリッジの上面に係合する庇状の弾性係合部を設け、前記凸部を、前記カートリッジ保持用台座部の前記庇状の弾性係合部側の端部に設けた。
【発明の効果】
【００２６】
本発明のカートリッジ用収納ケースには次に述べるような効果がある。
（１）請求項１のカートリッジ用収納ケースは、ケース本体部と蓋部に設けたカートリッジ保持用台座部で情報記録媒体カートリッジの表裏面の周縁部を挟着して保持するので、ケース外部からの衝撃等は専らカートリッジ保持用台座部を介して強度的に最も優れた情報記録媒体カートリッジの側壁部に伝達され、情報記録媒体カートリッジ内に収納されている情報記録媒体が保護される。特に、ケース本体部と蓋部の主面部は、前記カートリッジ保持用台座部を介して情報記録媒体カートリッジの表裏面の周縁部に接触し、カートリッジ保持用台座部以外の部分において情報記録媒体カートリッジと被接触状態に保たれているので、カートリッジ保持用台座部以外の部分に衝撃等が加わって、該部が変形した場合でも、その変形はケース本体部と蓋部の主面部と情報記録媒体カートリッジの間の隙間により吸収緩和され、情報記録媒体カートリッジが保護される。
（２）請求項２のカートリッジ用収納ケースは、ケース本体部に対して蓋部を閉じた状態にすると、これらケース本体部と蓋部のうちの少なくとも一方の側壁の先端部が、他方の主面部に設けた溝部内に係合して、両者間に隙間が発生するのを防止するので、閉蓋時における密閉性が向上して、ケース内への塵埃等の侵入を防ぐことができる。
（３）請求項３のカートリッジ用収納ケースは、ケース本体部の側壁の内側に、更に内壁を設けて２重壁構造にして情報記録媒体カートリッジを収納する構成にしたので、情報記録媒体カートリッジを衝撃等から２重に保護することができる。
（４）請求項４のカートリッジ用収納ケースは、ケース本体部の内壁に庇状の固定係合部を設けたので、該固定係合部によって情報記録媒体カートリッジの上面を押さえて情報記録媒体カートリッジがカートリッジ収納部から抜け出るのを防止する。
（５）請求項５のカートリッジ用収納ケースは、ケース本体部の内壁に庇状の弾性係合部を設けたので、カートリッジ収納部へ情報記録媒体カートリッジを出し入れする際に、前記弾性係合部を逃げ移動させることにより、情報記録媒体カートリッジをカートリッジ収納部に出し入れする際に、弾性係合部が邪魔にならないようにすることができる。
（６）請求項６のカートリッジ用収納ケースは、ケース本体部にカートリッジ収納部内に収納した情報記録媒体カートリッジの外周面を押圧する弾性押圧部を設けたので、該弾性押圧部の弾性で情報記録媒体カートリッジをケース本体部の内壁に押付けて情報記録媒体カートリッジをカートリッジ収納部内に保持することができる。また、外部から衝撃や振動等が加わった場合には、前記弾性押圧部が撓んで衝撃や振動等を吸収して情報記録媒体カートリッジを保護することができる。
（７）請求項７のカートリッジ用収納ケースは、弾性係合部と弾性押圧部を同一位置に形成したので、射出成型時において成形品抜き方向に対して突出した状態になっている弾性係合部と弾性押圧部を金型に形成する際の金型の後退機構（スライドコア）の形成個所を少なくできるので金型の製造コストを安くすることができる。
（８）請求項８のカートリッジ用収納ケースは、蓋部を閉じると、該蓋部に設けた傾斜状のカートリッジ押圧部でカートリッジをケース本体部の内壁に押付けてカートリッジがカートリッジ収納部内でがたつくのを防止する。そして、がたつきによる異音の発生や摩耗粉等の発生を防止する。
（９）請求項９のカートリッジ用収納ケースは、蓋部を閉じた際に背面部支持リブで背面部が支持されるので、落下等によりケースの背面部に衝撃や圧力が加わった場合でも、背面部が大きく変形するのを防止して、薄肉のヒンジ部が破断するのを未然に防止する。
（１０）請求項１０のカートリッジ用収納ケースは、閉蓋時において互いに係合する係合凹部と係合凸部を蓋部と背面部に設けたので、収納ケースを閉蓋した際の蓋部と背面部との間の密閉性が向上し、塵埃が収納ケース内に侵入するのを防止することができる。また、係合凹部と係合凸部の係合により背面部が補強されて強度的に優れたものになる。
（１１）請求項１１のカートリッジ用収納ケースは、閉蓋時において蓋部側に設けた被係合部が係合して閉蓋状態を維持する蓋ロック用の係合部を、カートリッジ収納部と遮断されたカートリッジ収納部の領域外に設けたので、係合部を例え側壁の内外面を貫通する貫通孔で形成した場合でも、貫通孔を通して塵埃等がケース内に侵入した場合でも、侵入した塵埃等が直ちにカートリッジ収納部内に侵入するのを防止することができる。
（１２）請求項１２のカートリッジ用収納ケースは、カートリッジ収納部に収納した情報記録媒体カートリッジと側壁の間にカートリッジ取出操作用の凹部を設けたので、該凹部に指先を挿入して指先で情報記録媒体カートリッジを持上げることにより情報記録媒体カートリッジをカートリッジ収納部内から容易に抜き出すことができる。
（１３）請求項１３のカートリッジ用収納ケースは、閉蓋状態においても指先を挿入可能なケース引出操作用の凹部を蓋部の側壁に設けたので、カートリッジ用収ケースを棚等に並べて収納しているような場合においても、前記ケース引出操作用の凹部に指先を挿入して棚等から容易に取り出すことができる。
（１４）請求項１４のカートリッジ用収納ケースは、情報記録媒体カートリッジの表裏を間違わずにカートリッジ収納部内に収納した場合には前記凸部は、情報記録媒体カートリッジの裏面側に設けた凹部に嵌合して情報記録媒体カートリッジがカートリッジ保持用台座部上に支持され、情報記録媒体カートリッジの表裏を間違ってカートリッジ収納部内に収納した場合には前記凸部で情報記録媒体カートリッジをカートリッジ保持用台座部から浮き上がらせて誤挿入であることを示唆する。
（１５）請求項１５のカートリッジ用収納ケースは、前記凸部をカートリッジ保持用台座部の庇状の弾性係合部側の端部に設けたので、情報記録媒体カートリッジの表裏を間違ってカートリッジ収納部内に収納した場合に、情報記録媒体カートリッジの庇状の弾性係合部側の端部を庇状の弾性係合部よりも上方に浮き上がらせて庇状の弾性係合部が情報記録媒体カートリッジに係合するのを阻止する。また、前記凸部をカートリッジ保持用台座部の上面に設けたので前記凸部が低くてもカートリッジ保持用台座部から情報記録媒体カートリッジを確実に浮き上がらせる。
【発明を実施するための最良の形態】
【００２７】
図１は、本発明の第1実施例の情報記録媒体用収納ケース（以下、単に収納ケースと称する）1を開蓋した斜視図である。  収納ケース１は、情報記録媒体カートリッジとしてのディスクカートリッジ３０１を収納するカートリッジ収納部２を備えたケース本体部３と、該ケース本体部３に背面部４を介して開閉可能にヒンジ結合された蓋部５と、を備えている。ここで、収納ケース１について説明する前に、収納ケース１に収納されるディスクカートリッジ３０１について簡単に説明する。ディスクカートリッジ３０１は、情報記録媒体としてのディスク３０２を回転自在に収納することにより構成されている。ディスクカートリッジ３０１は、ドライブ装置への挿入方向の前端面３０１ａが円弧状面に形成され、左右の側面３０１ｂ、３０１ｃ及び後端面３０１ｄが平坦面に形成されている。前記後端面３０１ｄの左右の側部は，傾斜面３０１ｅ，３０１ｆになっている。
【００２８】
前記収納ケース１のケース本体部３は、略四角形状の主面部３ａと、該主面部３ａの四辺に沿って設けられた前後左右の第１〜第４の側壁３ｂ〜３ｅ（外壁）と、を備えている。第１〜第４の側壁３ｂ〜３ｅの内側には、第１の側壁３ｂと第３の側壁３ｄに跨るように第１の内壁３ｆが設けられ、第３の側壁３ｄと第２の側壁３ｃに跨るように第２の内壁３ｇが設けられている。これら第１，第２の内壁３ｆ，３ｇは、前記ディスクカートリッジ３０１の前端面３０１ａの左右両側部が接するように該前端面３０１ａと略同じ曲率の円弧状面に形成されている。また、第１の側壁３ｂと第４の側壁３ｅに跨るように第３の内壁３ｈが設けられ、第４の側壁３ｅと第２の側壁３ｃに跨るように第４の内壁３ｉが設けられている。これら第３，第４の内壁３ｈ，３ｉは、前記ディスクカートリッジ３０１の後端面３０１ｃの左右両側部の傾斜面３０１ｅ，３０１ｆが接するように傾斜状に形成されている。そして、前記第１〜第４の内壁３ｆ〜３ｉの内側のカートリッジ収納部２に前記ディスクカートリッジ３０１が収納されるようになっている。
【００２９】
前記第１〜第４の側壁３ｂ〜３ｅ及び第１〜第４の内壁３ｆ〜３ｉは、前記ディスクカートリッジ３０１の肉厚の略半分程度の高さに形成されていて、カートリッジ収納部２に収納したディスクカートリッジ３０１の上半部が前記第１〜第４の側壁３ｂ〜３ｅ及び第１〜第４の内壁３ｆ〜３ｉの上端から上方に突出するようになっている。
【００３０】
前記ケース本体部３は、主面部３ａ上に第１，第２の側壁３ｂ，３ｃ及び第１〜第４の内壁３ｆ〜３ｉの内側に沿って、ディスクカートリッジ３０１の下面の周縁部を支持するケース本体部側のカートリッジ保持用台座部１１…１１を備えている。カートリッジ収納部２内に収納されたディスクカートリッジ３０１は、下面は周縁部が前記カートリッジ保持用台座部１１…１１上に載置され、他の部分はケース本体部３の主面部３ａから離間（浮上）した状態になる。
【００３１】
前記ケース本体部３は、主面部３ａ上の第１〜第４の側壁３ｂ〜３ｅの外面側の付け根部分に、蓋部５を閉じた状態において後に説明する蓋部５の第１〜第３の側壁５ｂ〜５ｄの先端部が嵌合する溝部１２を備えている。
【００３２】
前記第１，第２の内壁３ｆ，３ｇには、カートリッジ収納部２内に収納したディスクカートリッジ３０１の上面に係合する庇状の固定係合部１３が設けられている。これら固定係合部１３は、図２に拡大して示すように、前記第１，第２の内壁３ｆ，３ｇの上端部を延ばすことにより形成された壁部１３ａと、該壁部１３ａの上端部に設けられていてカートリッジ収納部２の上方に突出する爪片１３ｂと、で構成されている。
【００３３】
また、図１に示すように、前記第３，第４の内壁３ｈ，３ｉには、カートリッジ収納部２内に収納したディスクカートリッジ３０１の上面に係合する庇状の弾性係合部１４が設けられている。これら弾性係合部１４は、図３に拡大して示すように、前記第３，第４の内壁３ｈ，３ｉと一体的に形成された壁部１４ａと、該壁部１４ａの上端部に設けられていてカートリッジ収納部２の上方に突出する爪片１４ｂと、で構成されている。前記爪片１４ｂの頂部には傾斜面１４ｃが設けられていて、ディスクカートリッジ３０１の収納時に該ディスクカートリッジ３０１の下面で前記傾斜面１４ｃが押されると前記壁部１４ａが所謂逃げ方向に撓むようになっている。前記壁部１４ａの両側部はスリット（切欠部）１４ｄ，１４ｄによって前記第３，第４の内壁３ｈ，３ｉと分断されていて撓み易いようになっている。
【００３４】
また、前記第３，第４の内壁３ｈ，３ｉには、カートリッジ収納部２内に収納したディスクカートリッジ３０１の端面３０１ｄの両側の傾斜面３０１ｅ，３０１ｆを押圧する弾性押圧部１５が設けられている。これら弾性押圧部１５は、前記第３，第４の内壁３ｈ，３ｉと一体的に形成された壁部１５ａと、該壁部１５ａの上端部に設けられていてカートリッジ収納部２内に突出する爪片１５ｂと、で構成されている。前記爪片１５ｂの頂部には傾斜面１５ｃが設けられていて、ディスクカートリッジ３０１の収納時に該カートリッジ３０３の下面で前記傾斜面１５ｃが押されると前記壁部１５ａが所謂逃げ方向に撓むようになっている。
【００３５】
前記弾性押圧部１５は、前記一対のスリット１４ｄ，１４ｄ内を更に略コ字状のスリット１５ｄで切り欠くことにより、前記弾性係合部１４と同一位置（弾性係合部１４の壁部１４ａ内）に形成されている。
【００３６】
また、図１に示すように、前記第１の側壁３ｂの一側部で、かつ前記第１の内壁３ｆの第１の側壁３ｂ側の端部３ｊよりも外側位置及び前記第１の側壁３ｂの他側部で、かつ前記第３の内壁３ｈの第１の側壁３ｂ側の端部３ｋよりも外側位置には、後に説明する蓋部５の被係合部２９が係合して、蓋部５を閉じた状態を維持する係合部１６が設けられている。前記係合部１６は、前記第１の側壁３ｂに略四角形の穴を設けることにより形成されている。
【００３７】
また、前記第２の側壁３ｃの外側面には、蓋部５を閉じたときに次に説明する背面部４に当接して該背面部４を支持する背面部支持リブ１７が設けられている。
【００３８】
また、第３の内壁３ｈと第４の内壁３ｉの間にはカートリッジ収納部２に収納されているディスクカートリッジ３０１をカートリッジ収納部２内から取出す際に指先等を挿入可能なカートリッジ取出操作用の凹部１８が設けられている。
【００３９】
また、第１の側壁３ｂの中央部には蓋を開く際に指先等を挿入可能な開閉操作用の凹部１９が設けられている。
【００４０】
次に、背面部４について説明する。背面部４は、一端側が薄肉の第１のヒンジ部２１を介してケース本体部３に連結され、他端側が薄肉の第２のヒンジ部２２を介して蓋部５に連結されていて、ケース本体部３に対して背面部４及び蓋部５を一直線状に延ばした状態、即ちケース本体部３に対して背面部４及び蓋部５を展開させた状態にすることが可能になっている。
【００４１】
背面部４の幅Ｄは、ディスクカートリッジ３０１の肉厚よりも若干大き目に形成されている。背面部４の長手方向の両側部には、閉蓋時において次に説明する蓋部５に設けた係合凸部２６が係合する係合凹部２３が設けられている。
【００４２】
次に、蓋部５について説明する。蓋部５は、略四角形状の主面部５ａと、該主面部５ａの三辺に沿って設けられた第１〜第３の側壁５ｂ〜５ｄと、を備えている。そして、蓋部５を閉じた状態にする前記第１の側壁５ｂが前記ケース本体部３の第１の側壁３ｂの外側面に重なり、第２，第３の側壁５ｃ，５ｄが前記ケース本体部３の第３，第４の側壁３ｄ，３ｅの外側面に重なり合うようになっている。
【００４３】
前記第２，第３の側壁５ｃ，５ｄの背面部４側の端部には、閉蓋状態において指先を挿入可能なケース引出操作用の凹部２４を形成するための略コ字状の折り曲げ部２５が設けられている。前記折り曲げ部２５の背面部４側の側面の端部には、閉蓋状態において前記背面部４に設けた係合凹部２３に係合する係合凸部２６が設けられている。
【００４４】
また、蓋部５の主面部５ａの内面で、かつ蓋部５を閉じた時に前記ケース本体部側のカートリッジ保持用台座部１１…１１と対向する位置には、蓋部側のカートリッジ保持用台座部２７…２７が設けられている。そして、カートリッジ収納部２内にディスクカートリッジ３０１を収納して蓋部５を閉じると、ディスクカートリッジ３０１の上面には前記カートリッジ保持用台座部２７…２７が接触し、蓋部５の主面部５ａの前記カートリッジ保持用台座部２７…２７以外の部分はディスクカートリッジ３０１の上面から離間した状態になる。
【００４５】
蓋部５の第１の側壁５ｂの内面には、蓋部５を閉じるときに、カートリッジ収納部２内に収納されているディスクカートリッジ３０１の端面３０１ｂを押圧する一対の傾斜状のカートリッジ押圧部２８が設けられている。前記カートリッジ押圧部２８は、蓋部５の主面部５ａの第１の側壁５ｂｎｏ近傍に略半円錐状の凸部を設けることにより形成されている。
【００４６】
また、蓋部５の第１の側壁５ｂの前記一対のカートリッジ押圧部２５の外側位置には、閉蓋時において前記ケース本体部３に設けた一対の係合部１６，１６に係合して、蓋部５を閉じた状態を維持する一対の被係合部２９，２９が設けられている。前記一対の被係合部２９，２９は、図４の断面図に示すように、蓋部５の主面部５ａ上に立設された弾性片２９ａと、該弾性片２９ａの先端に設けられた爪片２９ｂと、を備えていて、前記爪片２９ｂの上面は傾斜面２９ｃになっている。そして、蓋部５を閉じると、図５に示すように、前記一対の被係合部２９，２９の爪片２９ｂが前記ケース本体部３の第１の側壁３ｄに設けた一対の係合部１６，１６に係合して、蓋部５は閉蓋状態にロックされるようになっている。
【００４７】
また、図１に示すように、蓋部５の第１の側壁５ｂの中央部には、蓋部５を閉じたときに、前記ケース本体部３の第１の側壁３ｂの中央部に設けた開閉操作用の凹部１９の外面に重なる開閉操作用の凹部３０が設けられている。
【００４８】
カートリッジ用収納ケース１は、ポリプロピレン（PP）、ポリエチレン（PE）のような薄肉のヒンジ部を射出成型によって形成することが可能な引っ張り伸び率の高い熱可塑性樹脂によって一体的に形成されている。
【００４９】
次に、カートリッジ用収納ケース１の作用について説明する。図１に示すように、カートリッジ用収納ケース１を展開（全開）した状態で、カートリッジ収納部２にディスクカートリッジ３０１を挿入する。挿入するに際しては、ディスクカートリッジ３０１の前端面３０１ａ側をやや下方に向けて傾斜させた状態で、ディスクカートリッジ３０１の前端面３０１ａ側を前記第１，第２の内壁３ｆ，３ｇに設けた庇状の固定係合部１３の爪片１３ｂの下に挿入する。
【００５０】
次に、ディスクカートリッジ３０１の後端面３０１ｄ側をカートリッジ収納部２に向けて下降させれば、ディスクカートリッジ３０１の後端面３０１ｄ側の下部で前記弾性係合部１４の頂部の傾斜面１４ｃが押圧されて弾性係合部１４が逃げ移動し、更にディスクカートリッジ３０１を下降させると前記弾性押圧部１５の頂部の傾斜面１５ｃが押圧されて弾性押圧部１５が逃げ移動する。
【００５１】
そして、図６に示すように、前記弾性押圧部１５の弾性復帰力でディスクカートリッジ３０１の後端面３０１ｄの両側の傾斜面３０１ｅ，３０１ｆが押圧されてディスクカートリッジ３０１は、前記第１，第２の内壁３ｆ，３ｇに押付けられる。また、前記弾性係合部１４も弾性復帰して、爪片１４ｂがディスクカートリッジ３０１の上面側に当接してディスクカートリッジ３０１がカートリッジ収納部２から抜け出るのを阻止する。
【００５２】
次に、蓋部６を手で持ってケース本体部３上に被せるように回動させると、背面部４は、第１のヒンジ部２１で折り曲げられて、前記ケース本体部３の第２の側壁３ｃの外側面に設けた背面部支持リブ１７に当接すると共に、蓋部５は、第２のヒンジ部２２で折り曲げられて第１，第２，第３の側壁５ｂ，５ｃ，５ｄが前記ケース本体部３の第１，第３，第４の側壁３ａ，３ｄ，３ｅの外側面に嵌合された状態になる。このとき図７に示すように、蓋部５の主面部５ａに設けた一対の傾斜状のカートリッジ押圧部２８がカートリッジ収納部２内に収納されているディスクカートリッジ３０１の端面３０１ｂを押圧して、ディスクカートリッジ３０１をケース本体部３の第２の側壁３ｃ側に押付ける。
【００５３】
そして、蓋部５の第１，第２，第３の側壁５ｂ，５ｃ，５ｄの先端部が前記ケース本体部３の主面部３ａの第１，第３，第４の側壁３ｂ，３ｄ，３ｅの付け根部分に設けた溝部１２に嵌合すると共に、蓋部５に設けた係合凸部２６が背面部４に設けた係合凹部２３に係合する。
【００５４】
蓋部５が完全に閉じられた状態になると、蓋部５に設けた一対の被係合部２９，２９の爪片２９ｂがケース本体部３に設けた一対の係合部１６，１６に係合して、蓋部５が閉じた状態にロックされると共に、図８に示すように、ディスクカートリッジ３０１は、ケース本体部３のカートリッジ保持用台座部１１と蓋部５のカートリッジ保持用台座部２７とにより表裏面の周縁部を挟着、保持された状態になるのである。
【００５５】
また、蓋部５のロックを解除して収納されているディスクカートリッジ３０１を取出す際には、先ずケース本体部３と蓋部５に設けた開閉操作用の凹部１９，３０に指先等を挿入し、ケース本体部３の主面部３ａと蓋部５の主面部５ａを互いに離間する方向に押し広げれば、前記一対の被係合部２９，２９の弾性片２９ａが逃げ移動して爪片２９ｂが前記ケース本体部３の第１の側壁３ｄに設けた一対の係合部１６，１６から抜け出て蓋部５のロックが解除される。
【００５６】
蓋部５を開いたら今度はカートリッジ収納部２からディスクカートリッジ３０１を抜き出すのであるが、この場合にはカートリッジ収納部２内に設けたカートリッジ取出操作用の凹部１８に指先を挿入する。そして、爪先をディスクカートリッジ３０１の下面とケース本体部３の主面部３ａと間の隙間（ケース本体部３の主面部３ａに設けたカートリッジ保持用台座部１１によってディスクカートリッジ３０１はケース本体部３の主面部３ａから浮き上がった状態になっている）に挿入してディスクカートリッジ３０１を持上げれば、ディスクカートリッジ３０１で爪片１４ｂの下面を押圧された庇状の弾性係合部１４は、逃げ方向に移動して、ディスクカートリッジ３０１は、カートリッジ収納部２から取出される。
【００５７】
図９〜図１２は、ディスクカートリッジの表裏を間違えて収納することを防止可能にした本発明の第２実施例の情報記録媒体用収納ケースを示し、図9は蓋を開いた状態の斜視図、図１０は要部の拡大図、図１１はディスクカートリッジの表裏を間違えずに挿入した状態の断面図、図１２はディスクカートリッジの表裏を間違えて挿入した状態の断面図である。
【００５８】
この実施例においては、図9に示すように、前記ケース本体部３のカートリッジ収納部２内に、カートリッジ保持用台座部１１よりも上方に突出し、ディスクカートリッジ３０１の裏面３０１ｇ側に設けた凹部３０３に嵌合可能な凸部４１を設けた。
【００５９】
前記凸部４１は、カートリッジ保持用台座部１１の庇状の弾性係合部１４側の端部の上面に設けられている。そして、ディスクカートリッジ３０１を表裏を間違えずに、即ち、ディスクカートリッジ３０１の裏面３０１ｇ側を下にしてカートリッジ収納部２内に挿入した場合には、図１１に示すように、前記凸部４１は、ディスクカートリッジ３０１の裏面３０１ｇに設けた凹部３０３内に嵌合してディスクカートリッジ３０１の裏面３０１ｇがカートリッジ保持用台座部１１上に支持される。また、ディスクカートリッジ３０１の表裏を間違って、即ち、ディスクカートリッジ３０１の表面３０１ｈ側を下にしてカートリッジ収納部２内に挿入した場合には、図１２に示すように、前記凸部４１は、ディスクカートリッジ３０１の表面３０１ｈに当接してディスクカートリッジ３０１をカートリッジ保持用台座部１１から浮き上がらせて誤挿入であることを示唆する。
【００６０】
特に、図面に示す実施例では前記凸部４１をカートリッジ保持用台座部１１の庇状の弾性係合部１４側の端部に設けたので、ディスクカートリッジ３０１の表裏を間違ってカートリッジ収納部２内に収納した場合には、ディスクカートリッジ３０１の庇状の弾性係合部１４側の端部を庇状の弾性係合部１４よりも上方に浮き上がらせることができ、庇状の弾性係合部１４がディスクカートリッジ３０１に係合するのを阻止する。
【００６１】
前記第２実施例においては、ディスクカートリッジ３０１の裏面３０１ｇ側に凹部３０３を設けるという簡単な構成でディスクカートリッジの表裏を間違えた状態で収納することを防止することができる。その他の構成は、第1実施例の場合と同じであるので同一構成部分には同一符合を付して重複する説明を省略する。
【図面の簡単な説明】
【００６２】
【図１】ケースを展開した状態の斜視図（第1実施例）。
【図２】固定係止部の拡大斜視図（第1実施例）。
【図３】弾性係止部及び弾性押圧部の拡大斜視図（第1実施例）。
【図４】蓋の係合部の断面図（第1実施例）。
【図５】蓋の係合部が被係合部に係合した状態の断面図（第1実施例）。
【図６】カートリッジ収納部に情報記録媒体カートリッジを収納した状態の断面図（第1実施例）。
【図７】蓋部を閉じた状態の要部の断面図（第1実施例）。
【図８】蓋部を閉じた状態の要部の断面図（第1実施例）。
【図９】ケースを展開した状態の斜視図（第２実施例）。
【図１０】要部の拡大斜視図。
【図１１】ディスクカートリッジの表裏を間違えずに挿入した状態の断面図。
【図１２】ディスクカートリッジの表裏を間違えて挿入した状態の断面図。
【図１３】従来例の斜視図。
【図１４】他の従来例の斜視図。
【符号の説明】
【００６３】
１…カートリッジ用収納ケース、２…カートリッジ収納部、３…ケース本体部、３ａ…主面部、３ｂ〜３ｅ…第１〜第４の側壁（外壁）、４…背面部、５…蓋部、５ａ…主面部、５ｂ〜５ｄ…第１〜第３の側壁（外壁）、１１…カートリッジ保持用台座部、１２…溝、１３固定係止部、１４…弾性係止部、１５…弾性押圧部、１６…係合部、１７…背面部支持リブ、１８…カートリッジ取出操作用の凹部、２１，２２…ヒンジ部、２３…係合凹部、２４…ケース引出操作用の凹部、２６…係合凸部、２７…カートリッジ保持用台座部、２８…傾斜状のカートリッジ押圧部、２９…被係合部、４１…誤挿入防止用の凸部。
【図１】
2004338800.tif 000003
【図２】
2004338800.tif 000004
【図３】
2004338800.tif 000005
【図４】
2004338800.tif 000006
【図５】
2004338800.tif 000007
【図６】
2004338800.tif 000008
【図７】
2004338800.tif 000009
【図８】
2004338800.tif 000010
【図９】
2004338800.tif 000011
【図１０】
2004338800.tif 000012
【図１１】
2004338800.tif 000013
【図１２】
2004338800.tif 000014
【図１３】
2004338800.tif 000015
【図１４】
2004338800.tif 000016